(57)【要約】【課題】展示品に関する資料の提供についての利便性向上を図る。【解決手段】資料請求装置２は、ユーザ装置６ａからユーザを介して送信されたユーザ識別子と資料識別子を管理装置４に送信する（Ｓ３）。管理装置４は、ユーザ識別子と資料識別子を関連づけて記憶する（Ｓ５）。印刷装置５は、ユーザ装置６ａからユーザを介して送信されたユーザ識別子を管理装置４に送信する（Ｓ１３）。管理装置４は、ユーザ識別子に関連づけられた資料識別子を読み出し、その資料識別子に関連づけられた資料名を読み出し、その資料名からなるリストを印刷装置５に送信する（Ｓ１５）。管理装置４は、印刷装置５から送信された資料名に関連づけられた資料１１を読み出し、その資料１１を印刷装置５に送信する（Ｓ２３）。印刷装置５の送信部５３は、送信された資料１１を受信し、印刷部５４に与える。印刷部５４は、その資料１１を印刷する（Ｓ２５）。【選択図】図８
2009015564.tif 000002
【特許請求の範囲】
【請求項１】
ユーザ装置と資料請求装置と管理装置と印刷装置とを備え、
前記ユーザ装置は、ユーザを示すユーザ識別子が記憶されたメモリと、当該ユーザ識別子を読み出す制御回路と、当該読み出されたユーザ識別子に応じた波形をもつ電圧を生成する発振回路と、当該電圧を当該ユーザに印加する電極とを備え、
前記資料請求装置は、展示品に関する資料を示す資料識別子が記憶されたメモリと、前記ユーザを介して電圧が印加される電極と、該電極に印加された電圧により前記ユーザ識別子を検出する検出部と、前記資料識別子を読み出し、当該資料識別子と前記検出されたユーザ識別子を前記管理装置に送信する送信部とを備え、
前記管理装置は、前記資料を前記資料識別子に関連づけて記憶する資料記憶部と、前記送信されたユーザ識別子を前記送信された資料識別子に関連づけて記憶する管理情報記憶部と、前記印刷装置から送信されるユーザ識別子に関連する資料識別子を前記管理情報記憶部から読み出し、前記読み出された資料識別子に関連する資料を前記資料記憶部から読み出し、当該資料を前記印刷装置に送信する送信部とを備え、
前記印刷装置は、前記ユーザを介して電圧が印加される電極と、該電極に印加された電圧により前記ユーザ識別子を検出する検出部と、前記検出されたユーザ識別子を前記管理装置に送信する送信部と、前記送信された資料を印刷する印刷部を備えることを特徴とする資料印刷システム。
【請求項２】
前記資料記憶部は、前記資料を前記資料識別子並びに前記資料の資料名に関連づけて記憶するものであり、
前記管理装置の送信部は、前記読み出された資料識別子に関連する資料名を前記資料記憶部から読み出し、当該資料名からなるリストを前記印刷装置に送信するとともに、前記印刷装置から送信された資料名に関連する資料を前記資料記憶部から読み出し、当該資料を前記印刷装置に送信し、前記印刷装置から送信された資料名に関連する資料を前記資料記憶部から読み出し、当該資料を前記印刷装置に送信するものであり、
前記印刷装置は、前記リストを表示する表示装置を備え、
前記印刷装置の送信部は、前記リストから選択された資料名を前記管理装置に送信するものである
ことを特徴とする請求項１記載の資料印刷システム。
【発明の詳細な説明】
【技術分野】
【０００１】
本発明は、展示品に関する資料を印刷するための資料印刷システムに関する
【背景技術】
【０００２】
従来において、多数の展示品が展示された展示会場を訪れた見学者は、名刺と引き替えに、その見学者が勤める会社名や見学者の氏名入りの名札を受け取り、その名札を付けて入場する。名札には、例えば名札の識別子がバーコードで印刷されている。関心のある展示品の展示場所を見学者が訪れると、係員はバーコードを読み取り器に読み取らせ、見学者と名刺交換する。見学者は、関心のある展示品に関する資料を請求する目的などをアンケート用紙へ記入し、事前に用意された資料を受け取る。見学者は、同様にして次々に資料を受け取りながら展示品を見学していく。
【非特許文献１】RedTacton、［平成１９年４月１日検索］、インターネット＜URL： http://www.redtacton.com/jp/info/index.html＞
【発明の開示】
【発明が解決しようとする課題】
【０００３】
上記のように、従来にあっては、見学者は、展示場所ごとに資料を受け取り、それを持ち歩く必要があり、大変煩雑である。また、資料を受け取るための手続きがあり、これも大変煩雑であり、長時間を要することもある。また、名札での氏名等の表示を好まない見学者もあり、つまり、このような仕組みは個人情報保護に適していない。
【０００４】
一方、展示者は、事前に資料を、望ましくは展示場所に用意する必要があり、そのため、広い展示場所が必要となる。また、請求がなく、資料が余る可能性がある。また、関心の度合いを測るに際し、アンケート用紙の計数などを行う必要がある。また、係員およびその人件費が必要である。
【０００５】
本発明は、上記の課題に鑑みてなされたものであり、その目的とするところは、展示品に関する資料の提供についての利便性向上を図ることにある。
【課題を解決するための手段】
【０００６】
上記の課題を解決するために、本発明に係る資料印刷システムは、ユーザ装置と資料請求装置と管理装置と印刷装置とを備え、前記ユーザ装置は、ユーザを示すユーザ識別子が記憶されたメモリと、当該ユーザ識別子を読み出す制御回路と、当該読み出されたユーザ識別子に応じた波形をもつ電圧を生成する発振回路と、当該電圧を当該ユーザに印加する電極とを備え、前記資料請求装置は、展示品に関する資料を示す資料識別子が記憶されたメモリと、前記ユーザを介して電圧が印加される電極と、該電極に印加された電圧により前記ユーザ識別子を検出する検出部と、前記資料識別子を読み出し、当該資料識別子と前記検出されたユーザ識別子を前記管理装置に送信する送信部とを備え、前記管理装置は、前記資料を前記資料識別子に関連づけて記憶する資料記憶部と、前記送信されたユーザ識別子を前記送信された資料識別子に関連づけて記憶する管理情報記憶部と、前記印刷装置から送信されるユーザ識別子に関連する資料識別子を前記管理情報記憶部から読み出し、前記読み出された資料識別子に関連する資料を前記資料記憶部から読み出し、当該資料を前記印刷装置に送信する送信部とを備え、前記印刷装置は、前記ユーザを介して電圧が印加される電極と、該電極に印加された電圧により前記ユーザ識別子を検出する検出部と、前記検出されたユーザ識別子を前記管理装置に送信する送信部と、前記送信された資料を印刷する印刷部を備えることを特徴とする。
【発明の効果】
【０００７】
本発明によれば、見学者は、展示場所ごとに資料を受け取り、それを持ち歩く必要がなく、煩雑さを解消できる。また、資料を受け取るための手続きがなく、煩雑さを解消でき、しかも、短時間で資料を請求できる。また、名札での氏名等の表示を前提としておらず、個人情報保護に適している。
【０００８】
また、本発明によれば、展示者は、事前に資料を用意する必要がなく、そのため、広い展示場所を必要としない。また、資料が余ることもない。また、印刷数の自動計数などにより、関心の度合いを容易に測ることができる。また、展示場所の無人化ができ、係員およびその人件費を不要にできる。
【０００９】
また、資料名のリストから選択された資料名の資料を印刷するようにしたので、必要な資料だけを印刷することができる。
【発明を実施するための最良の形態】
【００１０】
以下、本発明の一実施の形態に係る資料印刷システムについて図面を参照して説明する。
【００１１】
図１は、本実施の形態に係る資料印刷システムの構成図である。
【００１２】
例えば、展示会場には、複数の展示品１が複数展示され、それぞれの近傍に資料請求装置２が配置されている。資料請求装置２は、ＬＡＮ(Local Area Network)などのネットワーク３に接続され、ネットワーク３には、管理装置４と印刷装置５が接続される。見学者の一人であるユーザＵａは、ユーザ装置６ａを、例えばネックストラップにより首から下げている。
【００１３】
展示品は、例えば、ギャラリーや博物館に展示された絵画や彫刻、ショールームに展示された製品であり、展示されるものなら如何なるものでもよい。
【００１４】
図２は、ユーザ装置６ａの構成図である。
【００１５】
ユーザ装置６ａは、ユーザ識別子が記憶されたメモリ６１、そのユーザ識別子を読み出す制御回路６２、そのユーザ識別子に応じた波形をもつ電圧を生成する発振回路６３、その電圧をユーザＵａに印加する電極６４を備える。
【００１６】
展示会場には、同様なユーザ装置が複数用意され、それぞれのメモリ６１には、固有のユーザ識別子が記憶されている。ユーザＵａは、そのユーザ装置の１つであるユーザ装置６ａを所持しているのである。
【００１７】
図３は、資料請求装置２の構成図である。
【００１８】
図３（ａ）に示すように、資料請求装置２は、その資料請求装置２の場所に展示された展示品１に関する資料を示す資料識別子が記憶されたメモリ２１、ユーザＵを介して電圧が印加される電極２２、電極２２に印加された電圧によりユーザ識別子を検出する検出部２３、資料識別子を読み出し、読み出した資料識別子と検出されたユーザ識別子を管理装置４に送信する送信部２４を備える。検出部２３は、電極２２に印加された電圧を光学的に検出する電界光学検出部２３１、光学的な検出結果を電気信号に変換する信号処理回路２３２、電気信号の波形を整形する波形整形回路２３３を備える。
【００１９】
なお、図３（ｂ）に示すように、検出部２３は、電極２２の電圧信号から搬送波を抽出する搬送波再生回路２３６と、搬送波再生回路２３６で再生された搬送波と電極２２の電圧信号をもとにユーザ識別子を検出する復調回路２３７と、復調回路２３７より出力される復調信号のＨレベルとＬレベルの反転が起きていないかを判定し補正するための補正回路２３８とにより構成してもよい。
【００２０】
図４は、管理装置４の構成図である。
【００２１】
管理装置４は、各展示品１に関する資料１１をその資料を示す資料識別子並びにその資料の資料名に関連づけて記憶する資料記憶部４１と、資料請求装置２から送信されたユーザ識別子をそのユーザ識別子に対応するユーザにより請求された資料１１を示す資料識別子に関連づけて記憶する管理情報記憶部４２と、印刷装置５から送信されるユーザ識別子に関連する資料識別子を管理情報記憶部４２から読み出し、読み出された資料識別子に関連する資料を資料記憶部４１から読み出し、当該資料を印刷装置５に送信する送信部４３を備える。
【００２２】
送信部４３は、資料請求装置２や印刷装置５から情報を受信する機能、管理情報記憶部４２に情報を記憶させる機能、資料名からなるリストを生成し印刷装置５に送信する機能などを兼ね備える。
【００２３】
図５は、印刷装置５の構成図である。
【００２４】
図５（ａ）に示すように、印刷装置５は、ユーザＵを介して電圧が印加される電極５１、電極５１に印加された電圧によりユーザ識別子を検出する検出部５２、検出されたユーザ識別子を管理装置４に送信する送信部５３と、送信された資料１１を印刷する印刷部５４と、資料１１の資料名などを表示する表示装置５５と、資料名を選択するのに使用される入力装置５６を備える。
【００２５】
検出部５２は、電極５１に印加された電圧を光学的に検出する電界光学検出部５２１、光学的な検出結果を電気信号に変換する信号処理回路５２２、電気信号の波形を整形する波形整形回路５２３を備える。
【００２６】
なお、図５（ｂ）に示すように、検出部５２は、電極５１の電圧信号から搬送波を抽出する搬送波再生回路５２６と、搬送波再生回路５２６で再生された搬送波と電極５１の電圧信号をもとにユーザ識別子を検出する復調回路５２７と、復調回路５２７より出力される復調信号のＨレベルとＬレベルの反転が起きていないかを判定し補正するための補正回路５２８とにより構成してもよい。
【００２７】
送信部５３は、送信された資料などを受信する機能、送信された資料を印刷部５４に与える機能、送信されたリストを表示装置５５に表示させる機能、リストから選択された資料名を入力装置５６からの信号により検出する機能を兼ね備える。
【００２８】
印刷装置５を既存の印刷装置から構成する場合、図６に示すように、送信部５３は、既存の印刷装置がもつネットワークインタフェース回路５３１の外に新たなネットワークインタフェース回路５３２および経路制御装置５３３を備える。
【００２９】
送信部５３は、資料１１を印刷部５４に印刷させるべく、検出部５２で検出されたユーザ識別子を管理装置４に送信するのであるが、そのときは、ネットワークインタフェース回路５３２と経路制御装置５３３を介してユーザ識別子を送信する。
【００３０】
管理装置４は、資料１１を印刷装置５に送信するのだが、管理装置４は、予めネットワークインタフェース回路５３１のアドレスを記憶しており、そのアドレスを宛先として資料１１を送信する。
【００３１】
経路制御装置５３３は、送信された資料１１を宛先通りにネットワークインタフェース回路５３１に送信し、その資料１１はネットワークインタフェース回路５３１を介して印刷部５４に与えられ、印刷される。
【００３２】
一方、印刷装置５を新たに構成する場合、図７に示すように、送信部５３は、ネットワークインタフェース回路については１つのみを備える。このネットワークインタフェース回路をネットワークインタフェース回路５３２という。
【００３３】
送信部５３は、検出部５２で検出されたユーザ識別子をネットワークインタフェース回路５３２を介して管理装置４に送信する。
【００３４】
管理装置４は、予めネットワークインタフェース回路５３２のアドレスを記憶しておく必要はなく、ネットワークインタフェース回路５３２のアドレスが管理装置４に通知されるので、そのアドレスを宛先として資料１１を送信する。
【００３５】
ネットワークインタフェース回路５３２は、送信された文書を印刷部５４に与え、その文書は印刷部５４で印刷される。
【００３６】
（本実施の形態に係る資料印刷システムの動作）
図８は、本実施の形態に係る資料印刷システムの動作を示すシーケンス図である。
【００３７】
ユーザ装置６ａの制御回路６２は、メモリ６１からユーザ識別子を読み出す。発振回路６３は、そのユーザ識別子に応じた波形をもつ電圧を生成し、その電圧を継続的に電極６４に印加する。電極６４は、その電圧をユーザＵａに印加する。
【００３８】
ユーザＵａは、ある展示品１に関する資料１１を請求すべく、その展示品１の近傍に配置された資料請求装置２の電極２２に触れる。ユーザ装置６ａの電極６４は、ユーザＵａを介して、ユーザ識別子に応じた波形をもつ電圧を資料請求装置２の電極２２に印加する。こうして、ユーザ装置６ａはユーザ識別子を資料請求装置２に送信する（Ｓ１）。
【００３９】
資料請求装置２の検出部２３は、電極２２に印加された電圧によりユーザ識別子を検出する。ここでは、電界光学検出部２３１が、電極２２に印加された電圧を光学的に検出し、信号処理回路２３２は、その光学的な検出結果を電気信号に変換する。波形整形回路２３３は、その電気信号の波形を整形し、整形後の波形によりユーザ識別子を検出し、ユーザ識別子を送信部２４に出力する。
【００４０】
あるいは、搬送波再生回路２３６が、電極２２の電圧信号から搬送波を抽出し、復調回路２３７が、搬送波再生回路２３６で再生された搬送波と電極２２の電圧信号をもとにユーザ識別子を検出し、補正回路２３８が、復調回路２３７より出力される復調信号のＨレベルとＬレベルの反転が起きていないかを判定し、判定結果により必要ならば反転を補正し、その復調信号によりユーザ識別子を送信部２４に出力する。
【００４１】
図示していないが、さらに詳しく説明すると、例えば、電界光学検出部２３１は、電極の電圧に応じた電界を電気光学結晶に結合させ、その電気光学結晶にレーザ光を入射させることで、レーザ光に偏向変化を生じさせる。信号処理回路２３２は、その偏向変化が生じたレーザ光を偏向ビームスプリッタで分離することなどによって、偏向変化を強度変化に変換し、レーザ光の強度変化を光電変換素子などにより電気信号に変換する。波形整形回路２３３は、電気信号を低雑音アンプを用いて増幅し、信号帯域外の不要な雑音成分をローパスフィルタ、ハイパスフィルタ、バンドパスフィルタ等のフィルタで除去する。
【００４２】
送信部２４は、メモリ２１から資料識別子を読み出し、波形整形回路２３３から送信されたユーザ識別子と当該資料識別子をネットワーク３を介して、管理装置４に送信する（Ｓ３）。
【００４３】
管理装置４の送信部４３は、送信されたユーザ識別子を、送信された資料識別子に関連づけて、管理情報記憶部４２に記憶させる（Ｓ５）。
【００４４】
同様にして、管理情報記憶部４２においては、ユーザ装置６ａに記憶されたユーザ識別子が、複数の資料識別子に関連づけられたこととする。つまり、ユーザＵａが複数の展示品１に関する資料１１を請求したこととする。
【００４５】
さて、ユーザＵａは、請求した資料１１を印刷すべく、印刷装置５の電極５１に触れる。ユーザ装置６ａの電極６４は、ユーザＵａを介して、ユーザ識別子に応じた波形をもつ電圧を印刷装置５の電極５１に印加する。こうして、ユーザ装置６ａはユーザ識別子を印刷装置５に送信する（Ｓ１１）。
【００４６】
印刷装置５の検出部５２は、電極５１に印加された電圧によりユーザ識別子を検出する。ここでは、電界光学検出部５２１は、電極５１に印加された電圧を光学的に検出し、信号処理回路５２２は、その光学的な検出結果を電気信号に変換する。波形整形回路５２３は、その電気信号の波形を整形し、整形後の波形によりユーザ識別子を検出し、ユーザ識別子を送信部５３に出力する。
【００４７】
電界光学検出部５２１、信号処理回路５２２および波形整形回路５２３の詳しい動作は、資料請求装置２の検出部２３における電界光学検出部２２１、信号処理回路２２２および波形整形回路２２３のものと同様である。
【００４８】
また、検出部５２を搬送波再生回路５２６、復調回路５２７および補正回路５２８で構成したときの詳しい動作は、資料請求装置２の検出部２３における搬送波再生回路２３６、復調回路２３７および補正回路２３８のものと同様である。
【００４９】
送信部５３は、このユーザ識別子をネットワーク３を介して、管理装置４に送信する（Ｓ１３）。
【００５０】
管理装置４の送信部４３は、送信されたユーザ識別子に関連づけられた資料識別子を、管理情報記憶部４２から読み出し、その資料識別子に関連づけられた資料名を資料記憶部４１から読み出す。送信部４３は、その資料名からなるリストを印刷装置５に送信する（Ｓ１５）。
【００５１】
印刷装置５の送信部５３は、送信されたリストを受信し、表示装置５５に表示させる（Ｓ１７）。
【００５２】
ユーザＵａは入力装置５６を使用して、全てあるいは必要な資料１１の資料名を選択する（Ｓ１９）。
【００５３】
送信部５３は、入力装置５６からの信号により、選択された資料名を検出し、この資料名をネットワーク３を介して、管理装置４に送信する（Ｓ２１）。
【００５４】
管理装置４の送信部４３は、送信された資料名に関連づけられた資料１１を資料記憶部４１から読み出し、その資料１１を印刷装置５に送信する（Ｓ２３）。
【００５５】
印刷装置５の送信部５３は、送信された資料１１を受信し、印刷部５４に与える。印刷部５４は、その資料１１を印刷する（Ｓ２５）。ユーザＵａは、印刷された資料１１を読むことで、展示品１の理解をより深めることができる。
【００５６】
なお、管理装置４の送信部４３は、ステップＳ１３で送信されたユーザ識別子に関連づけられた資料識別子を読み出した後、その資料識別子に関連づけられた資料１１を資料記憶部４１から読み出して印刷装置５に送信し、印刷装置５がその資料１１を印刷するようにしてもよい。
【００５７】
したがって、本実施の形態に係る資料印刷システムによれば、見学者は、展示場所ごとに資料を受け取り、それを持ち歩く必要がなく、煩雑さを解消できる。また、資料を受け取るための手続きがなく、煩雑さを解消でき、しかも、短時間で資料を請求できる。また、名札での氏名等の表示を前提としておらず、個人情報保護に適している。
【００５８】
また、本実施の形態に係る資料印刷システムによれば、展示者は、事前に資料を用意する必要がなく、そのため、広い展示場所を必要としない。また、資料が余ることもない。また、印刷数の自動計数などにより、関心の度合いを容易に測ることができる。また、展示場所の無人化ができ、係員およびその人件費を不要にできる。
【００５９】
また、資料名のリストから選択された資料名の資料を印刷するようにしたので、必要な資料だけを印刷することができる。
【図面の簡単な説明】
【００６０】
【図１】一実施の形態に係る資料印刷システムの構成図である。
【図２】図１に示すユーザ装置６ａの構成図である。
【図３】図１に示す資料請求装置２の構成図である。
【図４】図１に示す管理装置４の構成図である。
【図５】図１に示す印刷装置５の構成図である。
【図６】図５に示す送信部５３の一例に係る構成図である。
【図７】図５に示す送信部５３の他の一例に係る構成図である。
【図８】図１に示す資料印刷システムの動作を示すシーケンス図である。
【符号の説明】
【００６１】
１…展示品
２…資料請求装置
４…管理装置
５…印刷装置
６ａ…ユーザ装置
１１…資料
２１、６１…メモリ
２２、６４、５１…電極
２３、５２…検出部
２４、４３、５３…送信部
４１…資料記憶部
４２…管理情報記憶部
５４…印刷部
６２…制御回路
６３…発振回路
Ｕａ…ユーザ
【図１】
2009015564.tif 000003
【図２】
2009015564.tif 000004
【図３】
2009015564.tif 000005
【図４】
2009015564.tif 000006
【図５】
2009015564.tif 000007
【図６】
2009015564.tif 000008
【図７】
2009015564.tif 000009
【図８】
2009015564.tif 000010